(57)【特許請求の範囲】
【請求項１】
側面部に第１開口部が形成された扁平な容器本体と、前記第１開口部に嵌合された蓋本体と、が備えられ、
前記蓋本体には、前記容器本体内に連通する第２開口部が形成されるとともに、この第２開口部を開閉する開閉蓋と、この開閉蓋を、前記容器本体の平面視における外周縁に沿って延在する回動軸線回りに回動可能に支持するヒンジ部と、が備えられ、
前記開閉蓋の内面には第２開口部内に向けて計量筒部が突設されるとともに、前記蓋本体の内部に、内容物を前記計量筒部内に誘導する誘導部が設けられ、
前記計量筒部の先端縁においてこの容器の厚さ方向に沿ってヒンジ部側に位置する部分には、前記容器本体内に向けて鍔部が突設され、
前記容器本体または蓋本体には、前記第２開口部を開口したときに前記鍔部によりこの第２開口部の少なくとも一部を覆わせて、前記容器本体内の内容物の前記第２開口部を通した脱落を防止するように、前記開閉蓋の回動量を規制する規制部が設けられていることを特徴とする容器。
【請求項２】
請求項１記載の容器であって、
前記誘導部は、計量筒部内において前記回動軸線が延在する延在方向の端部に設けられ、かつ該延在方向に沿って計量筒部の外側から内側に向かうに従い漸次、前記開閉蓋の内面側に向けて延びる誘導面を備えていることを特徴とする容器。
【請求項３】
請求項１または２に記載の容器であって、
前記誘導部は、蓋本体の内面において前記第２開口部よりも前記回動軸線が延在する延在方向の外側に位置する部分に、前記容器本体の内側に向けて突設された誘導突起を備え、
この誘導突起は、前記延在方向に間隔をあけて複数設けられるとともに、これらの誘導突起の容器本体の内側に向けた各突出長さは、前記第２開口部に近づくに従い漸次短くなっていることを特徴とする容器。
【請求項４】
請求項１から３のいずれか１項に記載の容器であって、
前記容器本体を構成する一方の表面部および他方の表面部それぞれの内面には、前記回動軸線が延在する延在方向に直交する方向に延びるリブが、前記延在方向に間隔をあけて複数突設されていることを特徴とする容器。
【請求項５】
請求項１から４のいずれか１項に記載の容器であって、
前記計量筒部内には、この計量筒部内を前記回動軸線が延在する延在方向に沿って複数に仕切る仕切り板が設けられていることを特徴とする容器。
【請求項６】
容器の内部に内容物が収納された内容物入り容器であって、
前記内容物は錠剤とされるとともに、前記容器は、請求項１から５のいずれか１項に記載の容器であることを特徴とする内容物入り容器。
【請求項７】
容器の内部に内容物が収納された内容物入り容器であって、
前記内容物は錠剤とされ、前記容器は請求項４記載の容器とされるとともに、前記錠剤の外径は前記リブの幅よりも大きくなっていることを特徴とする内容物入り容器。
【発明の詳細な説明】
【技術分野】
【０００１】
本発明は扁平な容器本体を有する容器および内容物入り容器に関するものである。
【背景技術】
【０００２】
この種の容器として、従来から例えば下記特許文献１に示されるような、開閉蓋の開閉を繰り返して内容物を少しずつ取り出せるようにした構成が知られている。
【特許文献１】特開２００６−２５６６９２号公報
【発明の開示】
【発明が解決しようとする課題】
【０００３】
しかしながら、前記従来の容器では、内容物を所望の量だけ取り出すことが困難であるという問題があった。
【０００４】
本発明は、このような事情を考慮してなされたもので、内容物を所望の量だけ取り出すことができる容器および内容物入り容器を提供することを目的とする。
【課題を解決するための手段】
【０００５】
上記課題を解決して、このような目的を達成するために、本発明の容器は、側面部に第１開口部が形成された扁平な容器本体と、前記第１開口部に嵌合された蓋本体と、が備えられ、前記蓋本体には、前記容器本体内に連通する第２開口部が形成されるとともに、この第２開口部を開閉する開閉蓋と、この開閉蓋を、前記容器本体の平面視における外周縁に沿って延在する回動軸線回りに回動可能に支持するヒンジ部と、が備えられ、前記開閉蓋の内面には第２開口部内に向けて計量筒部が突設されるとともに、前記蓋本体の内部に、内容物を前記計量筒部内に誘導する誘導部が設けられ、前記計量筒部の先端縁においてこの容器の厚さ方向に沿ってヒンジ部側に位置する部分には、前記容器本体内に向けて鍔部が突設され、前記容器本体または蓋本体には、前記第２開口部を開口したときに前記鍔部によりこの第２開口部の少なくとも一部を覆わせて、前記容器本体内の内容物の前記第２開口部を通した脱落を防止するように、前記開閉蓋の回動量を規制する規制部が設けられていることを特徴とする。
この発明では、蓋本体の内部に内容物を計量筒部内に誘導する誘導部が設けられているので、この容器を蓋本体が鉛直方向下側に向くように傾けたときに、内容物を誘導部により計量筒部内に誘導させてこの計量筒部内に進入させ易くすることが可能になる。
その後、開閉蓋を前記回動軸線回りに回動させて前記第２開口部を開口したときに、計量筒部内に進入した内容物が露呈する。この際、前記規制部が設けられるとともに、計量筒部の先端縁に前記鍔部が設けられているので、開閉蓋は、鍔部が前記第２開口部を通過してその全体がこの第２開口部の外側に位置する前、つまり第２開口部を完全に開口させる前に、前記規制部によって前記回動軸線回りの回動が規制される。これにより、計量筒部内に進入した内容物を取り出す際に、第２開口部の少なくとも一部は鍔部で覆っておくことが可能になり、容器本体内の内容物が不意に第２開口部から脱落するのを防ぐことができる。
以上より、内容物を所望の量だけ取り出すことができる。
【０００６】
ここで、前記誘導部は、計量筒部内において前記回動軸線が延在する延在方向の端部に設けられ、かつ該延在方向に沿って計量筒部の外側から内側に向かうに従い漸次、前記開閉蓋の内面側に向けて延びる誘導面を備えてもよい。
この場合、誘導部が前記誘導面を備えているので、容器を蓋本体が鉛直方向下側に向くように傾けて、内容物を計量筒部の開口周縁部に到達させたときに、この内容物を前記誘導面上を滑らせて引っ掛かりなくスムーズに計量筒部内に進入させることが可能になる。
【０００７】
また、前記誘導部は、蓋本体の内面において前記第２開口部よりも前記回動軸線が延在する延在方向の外側に位置する部分に、前記容器本体の内側に向けて突設された誘導突起を備え、この誘導突起は、前記延在方向に間隔をあけて複数設けられるとともに、これらの誘導突起の容器本体の内側に向けた各突出長さは、前記第２開口部に近づくに従い漸次短くなってもよい。
この場合、誘導部が複数の前記誘導突起を備えているので、容器を蓋本体が鉛直方向下側に向くように傾けて、内容物を蓋本体内において計量筒部よりも前記延在方向の外側に位置する部分に到達させたときに、この内容物を前記誘導突起の先端縁上を滑らせて引っ掛かりなくスムーズに計量筒部に近づけることができる。
【０００８】
さらに、前記容器本体を構成する一方の表面部および他方の表面部それぞれの内面には、前記回動軸線が延在する延在方向に直交する方向に延びるリブが、前記延在方向に間隔をあけて複数突設されてもよい。
この場合、前記一方の表面部および他方の表面部それぞれの内面に、前記リブが突設されているので、これらの両表面部の強度を高めることが可能になるとともに、例えば落下時等に作用した衝撃力を前記リブが撓むことで吸収することもできる。
また例えば、内容物が板状の錠剤とされて、前記一方の表面部および他方の表面部それぞれの内面に形成された各リブ同士の、容器本体の厚さ方向における間隔が、板状に形成された内容物の厚さよりもわずかに大きくなっている場合には、容器本体内で、内容物がその厚さ方向に積み重なったり、あるいは外周面が前記一方の表面部および他方の表面部それぞれの内面側で挟まれて引っ掛かったりするのを抑えることが可能になり、内容物を取り出すために容器を蓋本体が鉛直方向下側に向くように傾けたときに、この内容物を容器本体内でつまらせることなく、前記第２開口部側に向けて移動させることができる。
さらにこの場合、内容物を取り出すために容器を蓋本体が鉛直方向下側に向くように傾けて内容物を前記第２開口部側に向けて移動させる際に、この内容物の、前記一方の表面部および他方の表面部それぞれの内面側との接触面積を低減することが可能になり、この内容物に作用する摩擦力を抑えることも可能になる。
さらにこの場合において、例えば内容物の表裏面が厚さ方向の外側に向けて膨出した凸曲面状に形成されるとともに、前記延在方向で隣り合う各リブ同士の間隔が、内容物の外径よりも小さくなっている場合には、この内容物の表裏面における各中央部を、前記延在方向で隣り合うリブ同士でガイドすることが可能になる。したがって、内容物を取り出すために容器を蓋本体が鉛直方向下側に向くように傾けたときに、内容物を前記第２開口部側に向けて前記延在方向に直交する方向にほぼ真直ぐ整列させた状態で移動させることが可能になり、容器本体内で内容物がつまるのをより一層確実に防ぐことができる。
【０００９】
さらにまた、前記計量筒部内には、この計量筒部内を前記回動軸線が延在する延在方向に沿って複数に仕切る仕切り板が設けられてもよい。
この場合、計量筒部内に仕切り板が設けられているので、計量された複数個の内容物を取り出すことが可能になり、この容器の取り扱い性を向上させることができる。
また、本発明の内容物入り容器は、容器の内部に内容物が収納された内容物入り容器であって、前記内容物は錠剤とされるとともに、前記容器は、本発明の容器であることを特徴とする。
なお、前記錠剤としては、例えば医薬品、食品あるいは医薬部外品等が挙げられ、その適用分野は特に限定されるものではない。
さらに、本発明の内容物入り容器は、前記内容物は錠剤とされ、前記容器は請求項４記載の容器とされるとともに、前記錠剤の外径は前記リブの幅よりも大きくなっていることを特徴とする。
この場合、錠剤を容器内でスムーズに移動させることが可能になる。
【発明の効果】
【００１０】
この発明に係る容器および内容物入り容器によれば、内容物を所望の量だけ取り出すことができる。
【発明を実施するための最良の形態】
【００１１】
以下、図１から図５を参照し、この発明の一実施形態について説明する。本実施形態に係る容器１０には、側面部に第１開口部１２が形成された扁平な容器本体１１と、第１開口部１２に嵌合された蓋本体２０と、が備えられている。
この容器１０は扁平な直方体状に形成されて平面視長方形状となっている。ここで、容器本体１１も扁平な直方体状に形成されて平面視長方形状となっており、この長方形状をなす長辺および短辺それぞれの延在方向は、容器１０における前記長方形状をなす長辺および短辺それぞれの延在方向と一致している。以下、これらの長辺の延在方向を長手方向Ａといい、短辺の延在方向を短手方向Ｂという。
【００１２】
そして、第１開口部１２は、容器本体１１の側面部において前記長方形状をなす２つの短辺のうちの１つが位置する部分、つまり前記長手方向Ａにおける一方の端面の全域に形成されている。これにより、蓋本体２０は、容器１０における前記長手方向Ａの一方の端部を構成している。なお、容器１０の前記長手方向Ａにおける両端面の各平面視形状は、前記短手方向Ｂに長い長方形状に形成されるとともに、前記短手方向Ｂの両端縁はこの方向Ｂの外側に向けて凸の曲線状となっている。
【００１３】
また、蓋本体２０には、内外面が前記長手方向Ａを向く第１天壁部２１と、この第１天壁部２１の外周縁に前記長手方向Ａに沿って容器本体１１の内側に向けて延設された第１周壁部２２と、が備えられ、この第１周壁部２２が、容器本体１１の第１開口部１２内に嵌合されている。さらに、第１天壁部２１には、容器本体１１内に連通する第２開口部２３が形成されている。
【００１４】
ここで、図示の例では、第１天壁部２１において前記短手方向Ｂにおける一方側の部分は、前記長手方向Ａに沿って容器本体１１の内側に向けて凹む凹部２１ａとなっており、この凹部２１ａに第２開口部２３が形成されている。また、第１天壁部２１において前記短手方向Ｂにおける他方側の部分２１ｂは、容器１０における前記長手方向Ａの一方の端面の一部を構成している。さらに図示の例では、第２開口部２３の開口周縁部に、その全周にわたって前記長手方向Ａに沿って容器本体１１の外側に向けて延びる嵌合筒部２４が設けられている。
【００１５】
さらに、この蓋本体２０には、第２開口部２３を開閉する開閉蓋２５と、この開閉蓋２５を、前記短手方向Ｂ（容器本体１１の平面視における外周縁）に沿って延在する回動軸線Ｌ回りに回動可能に支持するヒンジ部２６と、が備えられている。
開閉蓋２５は、第２開口部２３を閉塞した状態で容器１０における前記長手方向Ａの一方の端面の一部を構成する第２天壁部２５ａと、第２天壁部２５ａの外周縁にその全周にわたって前記長手方向Ａに沿って容器本体１１の内側に向けて延設されて前記嵌合筒部２４に離脱可能に嵌合される第２周壁部２５ｂと、を備えている。これらの第２天壁部２５ａおよび第２周壁部２５ｂの平面視形状は、前記短手方向Ｂに長い長方形状に形成されるとともに、前記短手方向Ｂの両端縁はこの方向Ｂの外側に向けて凸の曲線状となっている。
ヒンジ部２６は、開閉蓋２５における第２周壁部２５ｂの開放端側の外面と、これに前記長手方向Ａで近接する蓋本体２０の第１周壁部２２の外面と、を連結している。なお、図示の例では、ヒンジ部２６は、前記短手方向Ｂに間隔をあけて一対設けられている。
【００１６】
さらに、開閉蓋２５の第２天壁部２５ａにおいて第２周壁部２５ｂの内側には、前記長手方向Ａに沿って容器本体１１の内側に向けて延びる計量筒部２７が設けられている。なお、計量筒部２７および第２周壁部２５ｂは互いに同軸的に配置されている。すなわち、計量筒部２７の平面視形状は、第２天壁部２５ａおよび第２周壁部２５ｂと同様に、前記短手方向Ｂに長い長方形状に形成されるとともに、前記短手方向Ｂの両端縁はこの方向Ｂの外側に向けて凸の曲線状となっている。また、図示の例では、計量筒部２７の先端縁２７ａは、第２周壁部２５ｂの開放端縁２５ｃよりも容器本体１１の内方に位置している。さらに、計量筒部２７は、開閉蓋２５が第２開口部２３を閉塞した状態で、第２開口部２３の内側に位置している。
【００１７】
そして、本実施形態では、計量筒部２７の先端縁２７ａにおいて容器１０の厚さ方向に沿ってヒンジ部２６側に位置する部分には、前記長手方向Ａに沿って容器本体１１の内側に向けて延びる鍔部２８が設けられている。図示の例では、鍔部２８は、計量筒部２７の先端縁２７ａのうちヒンジ部２６側の半周部分に設けられている。また、鍔部２８は、ヒンジ部２６を介して開閉蓋２５を回動軸線Ｌ回りに回動させたときに、蓋本体２０に形成された第２開口部２３を通過可能な長さに形成されている。
【００１８】
ここで、本実施形態では、蓋本体２０には、第２開口部２３を開口したときに鍔部２８によりこの第２開口部２３の少なくとも一部を覆わせるように、開閉蓋２５の回動量を規制する規制部２９が設けられている。規制部２９は、蓋本体２０の第１周壁部２２の外面において一対のヒンジ部２６同士の間に位置する部分に連結された突起体とされ、その前記長手方向Ａにおける一方側の端部が、第２開口部２３を閉塞した状態にある開閉蓋２５における第２周壁部２５ｂの開放端側の外面に、この容器１０の厚さ方向外側から重なっている。
【００１９】
図示の例では、この規制部２９は、図５（ａ）に示されるように、第２開口部２３を閉塞した状態にある開閉蓋２５の前記開放端縁２５ｃが位置する載置面２９ａと、この載置面２９ａにおいて容器１０の厚さ方向における外方端に連なり、この厚さ方向に沿って容器１０の外側に向かうに従い漸次、前記長手方向Ａに沿って容器本体１１の外側に向けて延びる傾斜面２９ｂと、を備えている。そして、傾斜面２９ｂが、第２開口部２３を閉塞した状態にある開閉蓋２５における第２周壁部２５ｂの開放端側の外面に、この容器１０の厚さ方向外側から重なっている。
【００２０】
そして、開閉蓋２５を回動軸線Ｌ回りに回動させて第２開口部２３を開口する過程で、図５（ｂ）に示されるように、開閉蓋２５における第２周壁部２５ｂの開放端側の外面が傾斜面２９ｂに当接することによって、開閉蓋２５の回動が規制される。図示の例では、開閉蓋２５における第２周壁部２５ｂの開放端側の外面が傾斜面２９ｂに当接したときに、鍔部２８の先端縁２８ａが、第２開口部２３の開口面内において容器１０の厚さ方向における中央部に位置するようになっている。
【００２１】
また、本実施形態では、計量筒部２７内には、この計量筒部２７内を前記短手方向Ｂ（回動軸線Ｌが延在する延在方向）に沿って複数に仕切る仕切り板３０が設けられている。図示の例では、仕切り板３０は、前記短手方向Ｂにほぼ等間隔をあけて複数配置されている。また、これらのうち、前記短手方向Ｂの両端に配置された各仕切り板３０は、計量筒部２７の内周面における前記短手方向Ｂの両端部よりも前記短手方向Ｂの内方に離れて位置している。
【００２２】
さらに、蓋本体２０の内部には内容物Ｗを計量筒部２７内に誘導する誘導部が設けられている。
この誘導部は、開閉蓋２５における第２天壁部２５ａの内面に前記長手方向Ａに沿って容器本体１１の内側に向けて延設された傾斜壁部３２と、蓋本体２０における第１天壁部２１の内面に前記長手方向Ａに沿って容器本体１１の内側に向けて延設された誘導突起３３と、を備えている。
【００２３】
傾斜壁部３２は、第２天壁部２５ａの内面における計量筒部２７の内側において、前記短手方向Ｂの両端部に設けられ、その先端縁（誘導面）３２ａは、前記短手方向Ｂに沿って計量筒部２７の外側から内側に向かうに従い漸次、前記長手方向Ａに沿って容器本体１１の外側に向けて延びている。図示の例では、傾斜壁部３２は、複数の仕切り板３０のうち前記短手方向Ｂの両端に配置された各仕切り板３０と、計量筒部２７の内周面における前記短手方向Ｂの両端部とを連結している。そして、この傾斜壁部３２の先端縁３２ａにおける前記短手方向Ｂの両端はそれぞれ、計量筒部２７の先端縁２７ａ上、および複数の仕切り板３０のうち前記短手方向Ｂの両端に配置された各仕切り板３０の先端縁上に位置している。
【００２４】
誘導突起３３は、蓋本体２０における第１天壁部２１の前記他方側の部分２１ｂの内面に、前記短手方向Ｂに間隔をあけて複数突設されている。また、これらの誘導突起３３の前記長手方向Ａに沿った容器本体１１の内側に向けた各突出長さは、第２開口部２３に近づくに従い漸次短くなっている。なお、複数の誘導突起３３のうち、最も第２開口部２３の近くに配置された最短の誘導突起３３の先端は、第１天壁部２１の凹部２１ａよりも、前記長手方向Ａに沿って容器本体１１の内側に位置している。また、複数の誘導突起３３のうち、最も第２開口部２３から離れて配置された最長の誘導突起３３の突出長さは、蓋本体２０における第１周壁部２２の長さよりも短くなっている。また、前記短手方向Ｂで隣り合う各誘導突起３３同士の間隔は、収納される内容物Ｗの外径より小さくなっている。
【００２５】
さらに、本実施形態では、容器本体１１を構成する一方の表面部１３および他方の表面部１４それぞれの内面には、前記長手方向Ａ（回動軸線Ｌが延在する延在方向に直交する方向）に延びるリブ１５が、前記短手方向Ｂに間隔をあけて複数突設されている。なお、リブ１５と、蓋本体２０における第１周壁部２２の開放端との間には、わずかに前記長手方向Ａの隙間が設けられている。なお、前記短手方向Ｂで隣り合う各リブ１５同士の間隔は、前記短手方向Ｂで隣り合う各誘導突起３３同士の間隔よりも小さくなっている。また、各リブ１５の幅は、内容物Ｗの外径よりも小さくなっている。これにより、内容物Ｗが容器１０内でスムーズに移動できるようになっている。
【００２６】
さらに、一方の表面部１３および他方の表面部１４それぞれの内面に形成された各リブ１５は、互いに同形同大に形成されるとともに、この容器１０に厚さ方向で互いに対向しており、この対向方向における間隔は、収納される内容物Ｗの厚さよりもわずかに大きくなっている。
なお、図示の例では、内容物Ｗは板状の錠剤とされ、その表裏面が厚さ方向の外側に向けて膨出した凸曲面状に形成されている。また、錠剤としては、例えば医薬品、食品あるいは医薬部外品等が挙げられ、その適用分野は特に限定されるものではない。
【００２７】
以上説明したように本実施形態に係る容器１０によれば、蓋本体２０の内部に内容物Ｗを計量筒部２７内に誘導する傾斜壁部３２および誘導突起３３が設けられているので、この容器１０を蓋本体２０が鉛直方向下側に向くように傾けたときに、内容物Ｗを計量筒部２７内に誘導させてこの計量筒部２７内に進入させ易くすることが可能になる。
その後、開閉蓋２５を前記回動軸線Ｌ回りに回動させて第２開口部２３を開口したときに、計量筒部２７内に進入した内容物Ｗが露呈する。この際、規制部２９が設けられるとともに、計量筒部２７の先端縁２７ａに鍔部２８が設けられているので、開閉蓋２５は、鍔部２８が第２開口部２３を通過してその全体がこの第２開口部２３の外側に位置する前、つまり第２開口部２３を完全に開口させる前に、規制部２９によって前記回動軸線Ｌ回りの回動が規制される。これにより、計量筒部２７内に進入した内容物Ｗを取り出す際に、第２開口部２３の少なくとも一部は鍔部２８で覆っておくことが可能になり、容器本体１１内の内容物Ｗが不意に第２開口部２３から脱落するのを防ぐことができる。
以上より、内容物Ｗを所望の量だけ取り出すことができる。
【００２８】
また、本実施形態では、傾斜壁部３２の先端縁３２ａが、前記短手方向Ｂに沿って計量筒部２７の外側から内側に向かうに従い漸次、前記長手方向Ａに沿って容器本体１１の外側に向けて延びているので、容器１０を蓋本体２０が鉛直方向下側に向くように傾けて、内容物Ｗを計量筒部２７の開口周縁部に到達させたときに、この内容物Ｗを前記先端縁２３ａ上を滑らせて引っ掛かりなくスムーズに計量筒部２７内に進入させることが可能になる。
【００２９】
さらに、本実施形態では、誘導突起３３が前記短手方向Ｂに間隔をあけて複数設けられ、これらの誘導突起３３の容器本体１１の内側に向けた各突出長さが、第２開口部２３に近づくに従い漸次短くなっているので、容器１０を蓋本体２０が鉛直方向下側に向くように傾けて、内容物Ｗを蓋本体２０内において計量筒部２７よりも前記短手方向Ｂの外側に位置する部分に到達させたときに、この内容物Ｗを誘導突起３３の先端縁上を滑らせて引っ掛かりなくスムーズに計量筒部２７に近付けることができる。
【００３０】
また、容器本体１１を構成する一方の表面部１３および他方の表面部１４それぞれの内面に、リブ１５が突設されているので、これらの両表面部１３、１４の強度を高めることが可能になるとともに、例えば落下時等に作用した衝撃力をリブ１５が撓むことで吸収することもできる。
さらに、本実施形態では、内容物Ｗが板状の錠剤とされて、一方の表面部１３および他方の表面部１４それぞれの内面に形成された各リブ１５同士の、容器本体１１の厚さ方向における間隔が、板状に形成された内容物Ｗの厚さよりもわずかに大きくなっているので、容器本体１１内で、内容物Ｗがその厚さ方向に積み重なったり、あるいは外周面が一方の表面部１３および他方の表面部１４それぞれの内面側で挟まれて引っ掛かったりするのを抑えることが可能になり、内容物Ｗを取り出すために容器１０を蓋本体２０が鉛直方向下側に向くように傾けたときに、この内容物Ｗを容器本体１１内でつまらせることなく、第２開口部２３側に向けて移動させることができる。
さらにまた、内容物Ｗを取り出すために容器１０を蓋本体２０が鉛直方向下側に向くように傾けて内容物Ｗを第２開口部２３側に向けて移動させる際に、この内容物Ｗの、一方の表面部１３および他方の表面部１４それぞれの内面側との接触面積を低減することが可能になり、この内容物Ｗに作用する摩擦力を抑えることも可能になる。
【００３１】
また、内容物Ｗの表裏面が厚さ方向の外側に向けて膨出した凸曲面状に形成されるとともに、前記短手方向Ｂで隣り合う各リブ１５同士の間隔が、内容物Ｗの外径よりも小さくなっているので、この内容物Ｗの表裏面における各中央部を、前記短手方向Ｂで隣り合うリブ１５同士でガイドすることが可能になる。したがって、内容物Ｗを取り出すために容器１０を蓋本体２０が鉛直方向下側に向くように傾けたときに、内容物Ｗを第２開口部２３側に向けて前記長手方向Ａにほぼ真直ぐ整列させた状態で移動させることが可能になり、容器本体１１内で内容物Ｗがつまるのをより一層確実に防ぐことができる。
【００３２】
さらにまた、計量筒部２７内に仕切り板３０が設けられているので、計量された複数個の内容物Ｗを取り出すことが可能になり、この容器１０の取り扱い性を向上させることができる。
【００３３】
なお、本発明の技術的範囲は前記実施の形態に限定されるものではなく、本発明の趣旨を逸脱しない範囲において種々の変更を加えることが可能である。
例えば、前記実施形態では、容器本体１１を構成する一方の表面部１３および他方の表面部１４それぞれの内面にリブ１５を設けたが、このリブ１５は設けなくてもよいし、一方の表面部１３または他方の表面部１４のみに設けてもよい。
また、計量筒部２７内に複数の仕切り板３０を設けたが、１つだけ設けてもよいし、全く設けなくてもよい。
さらに、回動軸線Ｌが延在する方向を前記短手方向Ｂに一致させたが、例えば前記長手方向Ａに一致させてもよい。
さらにまた、容器１０の平面視形状を長方形状としたが、これに限らず適宜変更してもよい。
また、ヒンジ部２６を一対設けたが、一つだけ設けてもよい。
さらに、前記実施形態では、内容物Ｗを計量筒部２７内に誘導する誘導部として、傾斜壁部３２および誘導突起３３を示したが、これらのうちのいずれか一方のみを採用してもよいし、あるいは適宜変更してもよい。
また、前記実施形態では、規制部２９を蓋本体２０に設けたが、容器本体１１に設けてもよい。
【産業上の利用可能性】
【００３４】
内容物を所望の量だけ取り出すことができる。
【図面の簡単な説明】
【００３５】
【図１】本発明に係る一実施形態として示した容器の断面図である。
【図２】図１に示す容器の平面図である。
【図３】図１および図２に示す蓋本体において、開閉蓋が規制部を乗り越えて第２開口部を完全に開口した状態を示す上面図である。
【図４】図３に示す蓋本体の側面図である。
【図５】図１および図２に示す容器において、（ａ）一部拡大断面図、および（ｂ）計量筒部内に内容物を進入させた後に開閉蓋を開いて内容物を取り出す状態を示す一部拡大断面図である。
【符号の説明】
【００３６】
１０  容器
１１  容器本体
１２  第１開口部
１３  一方の表面部
１４  他方の表面部
１５  リブ
２０  蓋本体
２３  第２開口部
２５  開閉蓋
２６  ヒンジ部
２７  計量筒部
２７ａ  計量筒部の先端縁
２８  鍔部
２９  規制部
３０  仕切り板
３２  傾斜壁部（誘導部）
３２ａ  傾斜壁部の先端縁（誘導面）
３３  誘導突起（誘導部）
Ａ  長手方向（延在方向に直交する方向）
Ｂ  短手方向（回動軸線が延在する延在方向）
Ｌ  回動軸線
Ｗ  内容物
【図１】
0005090141.tif 000002
【図２】
0005090141.tif 000003
【図３】
0005090141.tif 000004
【図４】
0005090141.tif 000005
【図５】
0005090141.tif 000006